(57)【要約】【課題】  戸建て住宅の既設屋根の劣化部分や破損部分から石綿等の粉塵が飛散することを効果的に防止する。【解決手段】  既設屋根の石綿スレート屋根材１０の表面全面に被覆材を固着させて被覆層２０を形成し、次いで、被覆層２０の上に金属製屋根材３０を葺く。被覆材としては、塗料、発泡ウレタン等の液状材料を用いて石綿スレート屋根材１０の表面に塗り固める。被覆層２０の上に防水シートを敷設してもよく、この場合には石綿スレート屋根材１０をより確実に封鎖することができる。【選択図】  図１
2007039906.tif 000002
【特許請求の範囲】
【請求項１】
戸建て住宅の既設屋根の表面全面に被覆材を固着させて被覆層を形成し、次いで、この被覆層の上に金属製屋根材を葺くことを特徴とする戸建て住宅の既設屋根の改修方法。
【請求項２】
前記被覆材は、塗料、発泡ウレタン等の液状材料であって、前記既設屋根の表面に塗り固められる材料であることを特徴とする請求項１に記載の戸建て住宅の既設屋根の改修方法。
【請求項３】
前記被覆層を形成した後に、該被覆層の上に防水シートを敷設することを特徴とする請求項１または２に記載の戸建て住宅の既設屋根の改修方法。
【発明の詳細な説明】
【技術分野】
【０００１】
本発明は、戸建て住宅の既設屋根に不具合が生じた場合などに、その既設屋根を破壊や破損することなく、その上に新しい屋根を葺いて補修を図る既設屋根の改修方法に関する。
【背景技術】
【０００２】
戸建て住宅の屋根は、粘土を成形して焼成した多数の瓦を屋根材として葺く形態が古くからあったが、以前より、安価、かつ手軽に施工することのできる屋根材として、セメントを主たる成分とし、塗装が施された板状屋根材が広く普及している。この種の屋根材としては、セメントおよび石綿（アスベスト）を主原料とし、若干の混和材料と適量の水を加え、抄造して板状に成形した後、所定の含水率になるまで乾燥させた石綿スレート屋根材が、非常に多く使用されていることは、当業者には周知である。
【０００３】
上記石綿は、天然に産する鉱物繊維で、耐熱性、耐薬品性、絶縁性等の諸特性に優れることから、屋根等の建設資材の他に、電気製品、自動車部品、家庭用品等、きわめて多数の利用形態があり、関連する業種も、建設、造船、自動車、鉄道、電力・ガス、化学など多岐にわたっている。
【０００４】
このような利点を備える石綿ではあるが、健康に対する深刻な危険性が以前にも増して指摘されており、例えば、石綿の暴露に関連あるとして確認されている疾病としては、石綿肺、肺がん、悪性中皮腫の３疾患に加え、良性胸膜疾患として、胸膜炎、びまん性胸膜肥厚、円形無気肺（または無気肺性偽腫瘍）および胸膜プラークが挙げられる。これらはいずれも空気中に浮遊する石綿を吸入することにより発生するものであるが、例えば、肺がん発症には、石綿の暴露から１５〜４０年の潜伏期間があると言われており、また、石綿そのものが、最も細いクリソタイルという種類で太さが約０．０２〜０．０３μｍときわめて細く判別し難いものであることから、明らかな疾病の原因として認知され難かったという側面もある。
【０００５】
上記の石綿スレート屋根材も、長期の使用によって石綿の飛散が起こり、環境や健康の被害をもたらす要因となるものであった。この石綿スレート屋根材の場合は、塗膜が紫外線や風雨によって全面的に劣化して保護膜としての機能を失うと石綿が剥離して飛散が起こり、さらに、酸性雨の影響や乾燥によって劣化が進行して表面が摩耗することにより、石綿は飛散する。そして、さらに経年することにより劣化が進むと、乾燥によって反りや割れ等の破損が生じ、風や雨によって石綿の飛散は増大する。特に、近年では酸性雨の影響が著しいため劣化の進行は早く、それだけ石綿の飛散量は多くなる。このような屋根材からの石綿の飛散は、石綿を扱う作業者が被害を受けるものではなく、周辺の住民に被害を及ぼすことになるので、早急な対策が望まれる。
【０００６】
そこで、既設屋根の撤去あるいは半永久的な暴露防止といった対策が講じられるべきであるが、石綿の暴露を防止しながら撤去するにはコストがかかる。また、撤去して廃材となった膨大な石綿スレート屋根材の処分は非常に困難である。そこで、既設屋根を撤去することなく、その上に新たな屋根材を葺き、既設屋根を封鎖する方法が経済的である。既設屋根の上に新たな屋根材を葺く技術は、例えば、特許文献１，２等に記載されている。
【０００７】
【特許文献１】特開平５−４４３０７号公報
【特許文献２】特開２００４−１００２３９号公報
【発明の開示】
【発明が解決しようとする課題】
【０００８】
上記各文献等に記載されるように、新たな屋根材を既設屋根の上に施工しても、既設屋根の表面は露出しているので、きわめて細い石綿が外部に出てしまう可能性があり、完全な石綿の飛散防止策にはなり得ない。
【０００９】
よって本発明は、戸建て住宅の既設屋根の劣化したり破損したりした部分から、石綿等の粉塵が飛散することを効果的に防止することができる戸建て住宅の既設屋根の改修方法を提供することを目的としている。
【課題を解決するための手段】
【００１０】
本発明は、戸建て住宅の既設屋根の表面全面に被覆材を固着させて被覆層を形成し、次いで、この被覆層の上に金属製屋根材を葺くことを特徴とするもので、被覆層により既設屋根の表面全面が覆われて露出しない状態が確保されるので、既設屋根の劣化部分や破損部分からの粉塵の飛散が効果的に防止される。既設屋根が上記石綿スレート屋根材で施工されている場合には、石綿の飛散を確実に防止することができる。
【００１１】
また、金属製屋根材で既設屋根が風雨や紫外線等から保護されるので、既設屋根に損傷が起こりにくく、このため、新たに粉塵が生じることはなく、このことからも、粉塵の飛散防止が図られる。その金属製屋根材は、軽量であるから家屋の躯体にかかる負担は軽く、また、亜鉛メッキ鋼板（トタン）等を用いれば安価であり、施工も簡単であるといった利点を備える。なお、金属製屋根材としては、亜鉛メッキ鋼板等の鉄板の他に、アルミニウム、銅、ステンレス等でできたものが用いられる。
【００１２】
上記被覆材としては、軽量、かつ安価で、施工が比較的簡単なシーラー等の塗料、発泡ウレタン等の液状材料が好適に用いられ、既設屋根の表面に塗り固められて用いられる。また、このような被覆材で被覆層を形成した後に、該被覆層の上に防水シートを敷設すると、既設屋根の表面の封鎖をより一層確実なものとすることができる。
【発明の効果】
【００１３】
本発明によれば、既設屋根の表面を覆った被覆層により、既設屋根からの粉塵の飛散が効果的に防止されるといった効果を奏する。特に、既設屋根が石綿を含む材料を用いた屋根材で施工されている場合には、石綿の飛散が確実に防止され、周辺の環境や住民への石綿被害を防止することができる。
【発明を実施するための最良の形態】
【００１４】
以下、図面を参照して本発明の一実施形態を説明する。
図１は、一実施形態の改修方法で施工された屋根の断面を示している。この場合の既設屋根は、多数の石綿スレート屋根材１０が、通常の葺き方によって垂木１１および野地板１２からなる下地材１３の上に施工されたもので、軒先に施工された鼻隠し１４には樋１５が取り付けられている。
【００１５】
石綿スレート屋根材１０の表面全面には、所定厚さの被覆層２０が形成されている。この被覆層２０は、被覆材として、シーラー等の塗料や発泡ウレタン等の液状材料が用いられ、この被覆材を、露出する全ての石綿スレート屋根材１０の表面に塗り固めて形成されている。
【００１６】
軒先側（図１で左側）の石綿スレート屋根材１０の上には広小舞１６が配され、さらに、複数の横桟木１７が、軒先側から棟側（図１で右側）に向かって等間隔に配されている。この場合、横桟木１７は、石綿スレート屋根材１０の棟側の端部上に配されている。そして、これら広小舞１６および横桟木１７の上に、亜鉛メッキ鋼板（トタン）等による金属製屋根材３０が葺かれている。この金属製屋根材３０と、広小舞１６および横桟木１７は、金属製屋根材３０の上から石綿スレート屋根材１０を貫通して垂木１１まで打ち込まれる釘３１によって固定されている。
【００１７】
このような構造の屋根に施工する手順を説明すると、まず、露出する全ての石綿スレート屋根材１０の表面に、上記被覆材を塗装して硬化させる。被覆材の塗装作業は、石綿スレート屋根材１０の上に作業者が乗って石綿が飛散することのないような配慮が求められる。なお、被覆材で被覆が困難な部分（例えば、破損が著しい部分や、軒先や開口部の断面部分）には、気密的に封入が可能な適宜なシートを貼って覆うとよい。
【００１８】
被覆材としてシーラーを用いる場合には、浸透性シーラーを石綿スレート屋根材１０の表面に塗り、目止めする。この目止めによって石綿スレート屋根材１０の表層にはシーラーの含浸層が形成され、石綿スレート屋根材１０における劣化したセメント層内で石綿が凝固する状態となる。次に、シーラーの表面に、二液型塗料、塩化ビニル、アクリル、ＮＡＤ、水性塗料、複層弾性材、単層弾性材等の上塗り材料を適宜選択して上塗りする。これによって塗膜層は強固なものになる。あるいは、発泡ウレタン等のプラスチック発泡材を塗り固めてもよい。
【００１９】
次に、広小舞１６および横桟木１７を上記位置に配して仮止めし、続いて、これら広小舞１６および横桟木１７の上に金属製屋根材３０を置き、釘３１によってこれら金属製屋根材３０、広小舞１６および横桟木１７を垂木１１に固定する。
【００２０】
以上の改修方法によれば、被覆層２０により石綿スレート屋根材１０の表面全面が覆われて露出しない状態が確保される。したがって、石綿スレート屋根材１０における劣化部分や破損部分から石綿が飛散することが確実に防止され、これによって周辺の環境や住民への石綿被害が抑えられる。また、被覆層２０を形成した後は、作業者が石綿スレート屋根材１０に乗って作業しても、傷が付いて石綿が飛散することがない。さらに、金属製屋根材３０で石綿スレート屋根材１０が風雨や紫外線等から保護されるので、石綿スレート屋根材１０に損傷が起こりにくい。このため、損傷部分から新たに石綿が露出することはなく、このことからも、石綿の飛散防止が図られる。
【００２１】
また、新たに施工された金属製屋根材３０は軽量であるから、家屋の躯体にかかる負担は軽く、また、安価であり、施工も簡単に行える。被覆材が上記のシーラー等の塗料や発泡ウレタンであれば、これらも軽量であることから、躯体への負担がより一層抑えられる。特に、石綿スレート屋根材１０は、粘土瓦よりもかなり軽く（１／３程度）、これを使用した住宅の躯体は、その軽量に適合するように設計されているため、石綿スレート屋根材１０に匹敵するか、もしくはそれよりも軽量の金属製屋根材３０を使用することは、なるべく軽量の新たな屋根材を既設屋根の上に施工する上できわめて有効である。
【００２２】
図２は、本願発明の他の実施形態によって改修された屋根を示しており、この場合、上記実施形態で石綿スレート屋根材１０の表面全面に被覆材を塗布して被覆層２０を形成してから、石綿スレート屋根材１０の上にアスファルトルーフィング（防水シート）４０を敷設し、この後、上記と同様の手順で金属製屋根材３０を施工している。
【００２３】
このようにアスファルトルーフィング４０を石綿スレート屋根材１０の上に敷設することにより、被覆層２０と相まって石綿スレート屋根材１０の封鎖状態がより一層確実になる。また、下地材１３の野地板１２とアスファルトルーフィング４０によって屋根から小屋裏もしくは室内に石綿が侵入することが防止される。さらに、地震等によって石綿スレート屋根材１０が傷ついたり破損したりした場合には、石綿の飛散はアスファルトルーフィング４０で防止される。なお、アスファルトルーフィング４０は使用する防水シートの一例であり、気密が確保される類の防水シートであればいかなるものを使用してもよい。
【図面の簡単な説明】
【００２４】
【図１】本発明の一実施形態の改修方法によって施工された屋根の断面図である。
【図２】本発明の他の実施形態の改修方法によって施工された屋根の断面図である。
【符号の説明】
【００２５】
１０…石綿スレート屋根材（既設屋根）
２０…被覆層
３０…金属製屋根材
４０…アスファルトルーフィング（防水シート）
【図１】
2007039906.tif 000003
【図２】
2007039906.tif 000004